(57)【要約】【課題】軽量で且つ性能が高いリチウムイオン二次電池用電池ケースの提供。【解決手段】リチウムイオン二次電池用電池ケースであって、底板２１を有するように形成されたベース部２と、一端部から他端部まで延伸しながらリチウムイオン二次電池の本体を収容することができる収容空間を囲むことができるように略管状に形成されていると共に、前記一端部がベース部２に取付けられている周壁部３と、爆発防止孔４１１が開けられている蓋板４１を有するように形成されていると共に、周壁部３の前記他端部に取付けられているキャップ部４と、により組み合わされてなることを特徴とするリチウムイオン二次電池用電池ケース。【選択図】図２
0003203355.tif 000002
【実用新案登録請求の範囲】
【請求項１】
ガラスファイバーと、カーボンファイバーと、Ａｌ−Ｃｕ系合金と、ポリパラフェニレンテレフタルアミドとからなる群より選ばれた少なくとも１つ、または２つ以上の組み合わせにより作成されたリチウムイオン二次電池用電池ケースであって、
底板を有するように形成されたベース部と、
一端部から他端部まで延伸しながらリチウムイオン二次電池の本体を収容することができる収容空間を囲むことができるように略管状に形成されていると共に、前記一端部が前記ベース部に取付けられている周壁部と、
爆発防止孔が開けられている蓋板を有するように形成されていると共に、前記周壁部の前記他端部に取付けられているキャップ部と、により組み合わされてなることを特徴とするリチウムイオン二次電池用電池ケース。
【請求項２】
前記ベース部は、前記底板の周縁から前記底板の一側面へ突起する下フェンスを更に有するように形成されており、
前記キャップ部は、前記蓋板の周縁から前記蓋板の一側面へ突起する上フェンスを更に有するように形成されており、
前記周壁部は、前記一端部が前記下フェンスの内側に配置され、前記他端部が前記上フェンスの内側に配置されるように前記ベース部と前記キャップ部との間に配置されているように構成されたことを特徴とする請求項１に記載のリチウムイオン二次電池用電池ケース。
【請求項３】
前記周壁部の前記一端部は、前記ベース部の前記下フェンスにより密接に包まれるように取付けられており、
前記他端部は、前記キャップ部の前記上フェンスにより密接に包まれるように取付けられており、
更に、前記周壁部の前記一端部と前記ベース部の前記下フェンスと、前記周壁部の前記他端部と前記キャップ部の前記上フェンスとは、接着剤層により接着されるように構成されたことを特徴とする請求項２に記載のリチウムイオン二次電池用電池ケース。
【考案の詳細な説明】
【技術分野】
【０００１】
本考案は、リチウムイオン二次電池に使用されるリチウムイオン二次電池用電池ケースに関する。
【背景技術】
【０００２】
リチウムイオン二次電池は、エネルギー出力密度が高いため、移動体通信機器や携帯用情報端末の電源などに利用されている上に、近年では、地球温暖化対策として普及し始めているハイブリッド自動車や電気自動車の駆動用電源などにも利用されている。
【０００３】
従来、リチウムイオン二次電池のケースにおいて、アルミニウムを素材にして製造されたものが用いられている。例えば図１に示されている従来のリチウムイオン二次電池のケースは、アルミニウム材料により作成されており、円筒状に深絞り加工して形成した電池収容部１１と、爆発防止孔が開けられていると共に電極ユニット１２を有するキャップ部１３とを具えるように構成されている。
【考案の概要】
【考案が解決しようとする課題】
【０００４】
アルミニウムは密度が低いため、軽量化しやすいという利点を有し、そして金属材料の中では高い比強度をもっているが、ガラスファイバーやカーボンファイバーなどのファイバー材料やポリパラフェニレンテレフタルアミドなどの樹脂材料と比べ、比強度や引っ張り強度などは著しく劣っている。よって、従来のリチウムイオン二次電池のアルミニウム製ケースは、例えば普及価格帯のハイブリッド自動車や電気自動車に用いられることは可能だが、高価格帯のハイブリッド自動車や電気自動車の場合には更に高い性能、例えば軽さと高い強度を兼ね備えることが求められているので、アルミニウムで製造されたものを用いたものでは要求される性能を満足させることが難しい。
【０００５】
以上の問題を解決するため、アルミニウム以外の材料を用いることが考えられている。例えばガラスファイバーや、カーボンファイバーは、軽さと高い強度を兼ね備えるという物理的特性を有している。しかし、ファイバー材料の成形加工は、金属材料の成形加工と比べて複雑なので、製造コストが高くなる。
【０００６】
よって、本考案は以上の問題点を解決し、軽量で且つ性能が高く、且つ製造し易いリチウムイオン二次電池用電池ケースを提供することを目的とする。
【課題を解決するための手段】
【０００７】
上記目的を達成すべく、本考案は、ガラスファイバーと、カーボンファイバーと、Ａｌ−Ｃｕ系合金と、ポリパラフェニレンテレフタルアミドとからなる群より選ばれた少なくとも１つ、または２つ以上の組み合わせにより作成されたリチウムイオン二次電池用電池ケースであって、底板を有するように形成されたベース部と、一端部から他端部まで延伸しながらリチウムイオン二次電池の本体を収容することができる収容空間を囲むことができるように略管状に形成されていると共に、前記一端部が前記ベース部に取付けられている周壁部と、爆発防止孔が開けられている蓋板を有するように形成されていると共に、前記周壁部の前記他端部に取付けられているキャップ部と、により組み合わされてなるリチウムイオン二次電池用電池ケースを提供する。
【考案の効果】
【０００８】
以上の構成により、本考案のリチウムイオン二次電池用電池ケースは、ガラスファイバーと、カーボンファイバーと、Ａｌ−Ｃｕ系合金と、ポリパラフェニレンテレフタルアミドとからなる群より選ばれた少なくとも１つ、または２つ以上の組み合わせを使用して構成されているので、軽量で且つ性能も向上されたリチウムイオン二次電池用電池ケースを提供することができる。また、本考案の構成として各部品の構造はいずれも単純であるので、二種類以上の材料の組み合わせを使用しても、成形や接続などの難易度とコストを減らすこともできる。
【図面の簡単な説明】
【０００９】
【図１】従来のリチウムイオン二次電池用電池ケースの一例を示す断面図。
【図２】本考案のリチウムイオン二次電池用電池ケースの一実施例を示す断面図。
【考案を実施するための形態】
【００１０】
以下は、本考案によって構成されたリチウムイオン二次電池用電池ケースの好ましい実施形態について、添付図面を参照しながら詳しく説明する。
【００１１】
図２に示された本実施形態のリチウムイオン二次電池用電池ケースは、ベース部２と、略管状に形成されていると共にベース部２に取付けられている周壁部３と、周壁部３に取付けられているキャップ部４とを具えている 。
【００１２】
ベース部２は略円形底板２１と、底板２１の周縁から底板２１の一側面へ突起する下フェンス２２と、を有するように形成されている。
【００１３】
略管状に形成された周壁部３は、この実施形態において略円形の断面を有するように、ベース部２の底板２１と密接することができる一端部から他端部まで延伸する。周壁部３により囲まれる空間は、図示しないリチウムイオン二次電池の本体を収容することができる収容空間である。また、周壁部３は、前記一端部がベース部２の下フェンス２２の内側に配置されるようにベース部２に密接に取り付けられている。
【００１４】
キャップ部４は、ベース部２及び周壁部３に対応する略円形の蓋板４１と、蓋板４１の周縁から蓋板４１の一側面へ突起する上フェンス４２と、を有するように形成されている。蓋板４１には、爆発防止孔４１１が開けられていると共に、リチウムイオン二次電池の本体と電気的に接続することができる電極４３が設けられている。周壁部３は、前記他端部がキャップ部４の上フェンス４２の内側に配置されるようにキャップ部４に密接に取り付けられている。
【００１５】
また、ベース部２と周壁部３は、下フェンス２２の内側と周壁部３の一端部との間に設けた接着剤層５１により接着されている。同じく、キャップ部４と周壁部３は、上フェンス４２の内側と周壁部３の他端部との間に設けた接着剤層５２により接着されている。
【００１６】
ベース部２、周壁部３、キャップ部４を構成する材料としては、ガラスファイバーと、カーボンファイバーと、Ａｌ−Ｃｕ系合金と、ポリパラフェニレンテレフタルアミドとからなる群より選ばれた少なくとも１つ、または２つ以上の組み合わせを用いることができる。上記各材料は例えばより優れた延性、耐腐食性、防音性能、断熱性能、衝撃吸収力、高温及び低温耐性など、それぞれ異なる利点を有している。そして二種類以上の材料を組み合わせた複合材料を使用することにより、複数の利点を得ることができる。二種類以上の材料を組み合わせた複合材料を用いて複雑な構造に形成するには、より多いコストと時間が必要であるが、本考案では、粘着剤層５１、５２によりベース部２と、周壁部３と、キャップ部４とを接合させて電池ケースとすることで、生産における時間とコストを減らすことができる。
【００１７】
なお、この実施形態において、底板２１や蓋板４１の形状、及び周壁部３の断面形状は略円形になっているが、本考案はこれに限定されるものではなく、場合によって最適な形状にして運用することが可能である。
【産業上の利用可能性】
【００１８】
以上のように、本考案のリチウムイオン二次電池用電池ケースは、複合材料により構成されているので、軽量で且つ性能も向上されたリチウムイオン二次電池用電池ケースを提供することができる。また、ベース部２と、周壁部３と、キャップ部４とが組み合わされてなったものなので、複合材料を用いて電池ケースを生産する難易度とコストを減らすこともできる。
【符号の説明】
【００１９】
２    ベース部
２１    底板
２２    下フェンス
３    周壁部
４    キャップ部
４１        蓋板
４１１    爆発防止孔
４２    上フェンス
４３    電極
５１    接着剤層
５２    接着剤層
【図１】
0003203355.tif 000003
【図２】
0003203355.tif 000004